(57)【要約】【課題】  遊技機で獲得したパチンコ玉またはメダル等の遊技媒体と交換する景品を複数の交換率の異なる景品から選択して払い出すことができる景品払出装置を提供する。【解決手段】  景品を収納した収納カートリッジを交換率に応じたグループに分けて景品払出装置に装填し、グループ毎に収納された景品の収納カートリッジを選択する景品選択手段により、複数の交換率の異なる景品を１つの払出口から払い出すことを可能にする。景品選択手段は払出口に対応するレーンに装填されている複数の収納カートリッジのいずれか一つを、収納カートリッジ内の最前列にある景品を引き上げる引上げ機構の位置に移動させる移動機構を備える構成とした。【選択図】      図１７
2011092548.tif 000002
【特許請求の範囲】
【請求項１】
カード状をなす景品を起立状態に並列させて収納すると共に、最前列にある景品を一個ずつ順次上方に引き出し可能とする取出し口を備えた収納カートリッジと、
前記収納カートリッジ内の最前列にある景品を引っ掛けて、景品を前記取出し口から上方に引き出させる引っ掛け部を備えた景品の引上げ機構と、
横方向に走行されるベルトコンベヤと、このベルトコンベヤの屈曲部の側方に備えられる姿勢変更ローラとを有し、かつ、当該姿勢変更ローラがこの姿勢変更ローラの回転軸中心を通る水平線をベルトコンベヤの屈曲頂端を通る水平線よりも上方に位置されるように備え付けられた景品の側方移送機構とを備えており、
前記引上げ機構により上方に移送された景品が、前記姿勢変更ローラとベルトコンベヤのベルトの屈曲頂端との間で挟み込まれながら、当該ベルトコンベヤのベルトの走行方向に倒し込まれる構成としてあることを特徴とする景品の払出機構であって、
景品を収納した収納カートリッジを交換率に応じたグループに分けて、グループ毎に収納された景品の中から払出を行う収納カートリッジを選択する景品選択手段により、複数の交換率の異なる景品を１つの払出口から払い出すことを可能にする景品の払出機構を具備することを特徴とする景品払出装置。
【請求項２】
略水平に保持された複数の収納カートリッジを上下方向に向けて積み重ね状に備えると共に、交換率の異なる景品を収納した収納カートリッジを景品選択手段により選択し、指定された景品が収納されている収納カートリッジを、収納カートリッジ内の最前列にある景品に引上げ機構の引っ掛け部が引っ掛かる位置に移動させる移動機構を備えていることを特徴とする請求項１記載の景品払出装置。
【請求項３】
収納カートリッジの選択は、払出口に対応するレーンに装着されている複数の収納カートリッジのいずれか１つを奥側から取出し口側に向けて移動可能なスライド部材と、このスライド部材を当該取出し口側に付勢させる付勢手段とを備えており、当該スライド部材と取出し口との間に景品が収められる構成としてあることを特徴とする請求項１又は請求項２記載の景品払出装置。
【発明の詳細な説明】
【技術分野】
【０００１】
本発明は、遊技ホールに備えられ、遊技客がパチンコ玉およびメダル等の獲得した遊技媒体の獲得数および交換率に応じて遊技者に景品を払い出す景品払出装置に関する。
【背景技術】
【０００２】
パチンコ玉、メダルなどを用いた遊技場においては、遊技の結果獲得されたパチンコ玉およびコインなどの獲得数に応じて、景品（薄板状のカード型で特殊景品と呼ばれる）に交換するサービスがなされている。こうした景品の交換は景品払出装置を用いてなされることが多くなっている。
【０００３】
景品払出装置は、カード状をなす景品を収める複数の収納カートリッジを上下方向に積み重ねて配置し、あるいは、横方向に並列に配置し、この収納カートリッジの取り出し口から、景品を一枚ずつ取出しができるようにしてある。
【０００４】
複数の収納カートリッジを上下方向に積み重ねて配置した景品払出装置としては、遊技店の景品カウンターの下方に設置し、カウンター上に景品供給する景品を起立状態に並列させて収納すると共に、最前列にある景品を一個ずつ順次上方に引き出し可能とする取出し口を備えた収納カートリッジと、前記収納カートリッジ内の最前列にある景品を引っ掛けて、景品を前記取出し口から上方に引き出させる引っ掛け部を備えた景品の引上げ機構と、横方向に走行されるベルトコンベヤと、このベルトコンベヤの屈曲部の側方に備えられる姿勢変更ローラとを有し、かつ、当該姿勢変更ローラがこの姿勢変更ローラの回転軸中心を通る水平線をベルトコンベヤの屈曲頂端を通る水平線よりも上方に位置されるように備え付けられた景品の側方移送機構とを備えており、前記引上げ機構により上方に移送された景品が、前記姿勢変更ローラとベルトコンベヤのベルトの屈曲頂端との間で挟み込まれながら、ベルトコンベヤのベルトの走行方向に倒し込まれ、排出機構により景品カウンター上に排出する構成としたものがある（例えば、特許文献１参照）。
【０００５】
また、カード状をなす景品を収める複数の収納カートリッジを横方向に並列に配置した景品払出装置としては、特殊景品を払い出す１つの景品払出レーンに対して、景品を収納した複数の景品カセットを横方向に並べて、このうちの１つの景品カセットを特殊景品を取り出し可能な位置まで降下させ、最も下端に収納された特殊景品を無端ベルト上に押出して所定位置まで搬送する。そして、１つの景品払出レーンに対して備えられた複数の景品カセットのうち、少なくとも、景品払出口から最も離れた位置に備えられた景品カセット以外の景品カセットである景品カセットを、搬送される特殊景品の厚さに応じて上下方向の移動量を変えて移動する景品カセット移動機構を備えたものや（例えば、特許文献２参照）、パチンコ等の遊戯の結果に応じて遊戯者に引き渡される景品を複数収納可能であり、外面に景品払出口が形成された本体と、該本体に収納された景品の種類を識別する景品識別手段と、遊戯の結果を入力可能な遊戯結果入力手段と、該遊戯結果入力手段によって入力された遊戯の結果に応じて、前記景品識別手段によって識別した景品の種類の中から払い出す景品の種類を選択する景品選択手段と、前記景品選択手段によって選択された種類の景品を、前記景品払出口から払い出す景品払い出し手段とを備える景品払出装置がある（例えば、特許文献３参照）。
【先行技術文献】
【特許文献】
【０００６】
【特許文献１】実用新案登録第３０１０３２３号公報
【特許文献２】特開２００８−２９５９４８号公報
【特許文献３】特開２００３−３１１００９号公報
【発明の概要】
【発明が解決しようとする課題】
【０００７】
景品管理（ＰＯＳ）システムや情報処理技術の高度化により、遊技店の景品カウンターにおいても、景品のより細かい在庫管理を行い、景品の動向をパチンコおよびスロットの遊技種類別に管理および把握をしようとしている。
【０００８】
また、遊技者へのサービスを図るため、獲得したパチンコ玉とメダルに対して、それぞれ別種類の景品を提供したり、異なる貸出単価で遊技した結果獲得したパチンコ玉とメダルに対して、異なる交換率で景品と交換したいという要望が高まっている。これは、自治体の指導等により、遊技種別、交換率により景品を別々にしなければならないといった制約がある場合がある。
【０００９】
そこで、遊技店の景品カウンターにおいて、パチンコおよびスロット等の遊技種類毎およびパチンコおよびスロット等の交換率毎に別々の景品を払い出す必要がでてきた。
【００１０】
しかし、パチンコとスロットとの景品交換率に差異がある場合や、１円パチンコ、２円パチンコなどの営業方法による景品交換率に差異がある場合などでは、景品交換率ごとの景品を用意（１円パチンコ用特大、大、中、小景品、２円パチンコ用特大、大、中、小景品など）し、払出しを行なうが、従来の景品払出装置では機構上、同一払出しレーンからの払出し景品は１種類のみで、払出しレーンを特定しても、２種類の交換率（２レート）の景品払出しまでは可能であるが、３レート以上の景品払出しには対応できていないのが実情である。
【００１１】
３レート以上の景品払出しのためには、交換複数レートに対応するＰＯＳ−景品払出装置の運用セット数を増やさねばならないが、設備費用の増大やカウンター作業スペースが狭くなるという問題が生ずる。また、各ＰＯＳ−景品払出し装置セットで、対応できる交換景品が異なってしまうため、景品カウンターでの景品交換業務でお客とのトラブル、交換ミスが発生するという問題もある。
【００１２】
従来の景品払出装置（８個の払出口がある例）では、１つの景品払出口から１種類の景品の払い出しを行うので、最大で２種類の交換率に対応出来ていた。例えば、一般的な景品の種類は４種類（特大景品、大景品、中景品、小景品）であり、パチンコ用、スロット用と２種類の景品の交換が必要な場合は景品払出装置の払出口が８個の装置で対応出来ていた。さらに加えて、パチンコの遊技で前記異なる貸出単価で遊技した結果獲得した遊技媒体の交換は景品交換率が異なるために、３種類の景品が必要となってきた。そのため従来の払出方法では１２個の払出口が必要となってしまう。
【００１３】
そこで、本発明では、１つの払出口から複数種類の交換率に応じた景品を払い出すことを可能にし、景品交換率の種類分の払出口がなくても複数種類の景品を払い出すことが可能となる景品払出装置を提供することを課題とする。
【課題を解決するための手段】
【００１４】
本発明では、上記課題を達成するために、景品払出装置は景品管理装置（ＰＯＳ）から出力される、景品払出信号を受信して、複数の景品の収納カートリッジから払い出すための景品を選択する景品選択手段に基づき、景品の収納カートリッジの選択制御を行う。
【００１５】
景品を起立状態に並列させて収納する収納カートリッジを、景品払出装置の１つの払出口に対応したレーンに複数装填する。景品を収納した収納カートリッジを交換率に応じたグループに分け、グループに収納された景品の収納カートリッジを選択する景品選択手段と、選択された景品の情報を表示する表示機構と前記景品の引上げ機構と移送機構と排出機構により、景品を景品カウンター上に排出する。景品選択手段は払出口に対応するレーンに装填されている複数の収納カートリッジのいずれか一つを、収納カートリッジ内の最前列にある景品を引き上げる引上げ機構の位置に移動させる移動機構を備える構成とし、１台の景品払出装置で、例えば４レート（異品種景品１６種類）乃至６レート（異品種景品２４種類）を払出せることを可能にした。
【００１６】
本発明の具体的要旨は、次の通りである。
【００１７】
（１）  カード状をなす景品を起立状態に並列させて収納すると共に、最前列にある景品を一個ずつ順次上方に引き出し可能とする取出し口を備えた収納カートリッジと、
前記収納カートリッジ内の最前列にある景品を引っ掛けて、景品を前記取出し口から上方に引き出させる引っ掛け部を備えた景品の引上げ機構と、
横方向に走行されるベルトコンベヤと、このベルトコンベヤの屈曲部の側方に備えられる姿勢変更ローラとを有し、かつ、当該姿勢変更ローラがこの姿勢変更ローラの回転軸中心を通る水平線をベルトコンベヤの屈曲頂端を通る水平線よりも上方に位置されるように備え付けられた景品の側方移送機構とを備えており、
前記引上げ機構により上方に移送された景品が、前記姿勢変更ローラとベルトコンベヤのベルトの屈曲頂端との間で挟み込まれながら、当該ベルトコンベヤのベルトの走行方向に倒し込まれる構成としてあることを特徴とする景品の払出機構であって、
景品を収納した収納カートリッジを交換率に応じたグループに分けて、グループ毎に収納された景品の中から払出を行う収納カートリッジを選択する景品選択手段により、複数の交換率の異なる景品を１つの払出口から払い出すことを可能にする景品の払出機構を具備することを特徴とする景品払出装置。
【００１８】
（２）  略水平に保持された複数の収納カートリッジを上下方向に向けて積み重ね状に備えると共に、交換率の異なる景品を収納した収納カートリッジを景品選択手段により選択し、指定された景品が収納されている収納カートリッジを、収納カートリッジ内の最前列にある景品に引上げ機構の引っ掛け部が引っ掛かる位置に移動させる移動機構を備えていることを特徴とする上記（１）記載の景品払出装置。
【００１９】
（３）  収納カートリッジの選択は、払出口に対応するレーンに装着されている複数の収納カートリッジのいずれか１つを奥側から取出し口側に向けて移動可能なスライド部材と、このスライド部材を当該取出し口側に付勢させる付勢手段とを備えており、当該スライド部材と取出し口との間に景品が収められる構成としてあることを特徴とする上記（１）又は（２）記載の景品払出装置。
【発明の効果】
【００２０】
本発明によれば、景品管理装置（ＰＯＳ）からの信号により、複数の交換率の異なる景品を選択する景品選択手段によって選択した景品を収納する収納カートリッジから景品を払い出すことで、１つの払出口から交換率の異なる景品の払出が可能となる。
【図面の簡単な説明】
【００２１】
【図１】景品管理システムと遊技場の概要を示す図である。
【図２】景品払出装置のブロック図である。
【図３】景品払出装置の収納カートリッジの装填部を示し、カートリッジが１６本装填される払出機の扉側からの斜視図である。
【図４】交換率４種類の景品を収納した収納カートリッジ構成配置図である。
【図５】交換率３種類の景品を収納した収納カートリッジ構成配置図である。
【図６】交換率２種類の景品を収納した収納カートリッジ構成配置図である。
【図７】交換率２種類の景品を収納した別の構成の収納カートリッジ構成配置図である。
【図８】カートリッジが２４本装填される払出機の扉側からの斜視図である。
【図９】交換率６種類の景品を収納した収納カートリッジ構成配置図である。
【図１０】カートリッジが１２本装填される払出機の扉側からの斜視図である。
【図１１】交換率４種類の景品を収納した収納カートリッジ構成配置図である。
【図１２】交換率２種類の景品を収納した収納カートリッジ構成配置図である。
【図１３】カートリッジが１２本装填される払出機の扉側からの斜視図である。
【図１４】交換率６種類の景品を収納した収納カートリッジ構成配置図である。
【図１５】２段カートリッジの引き上げ機構の景品移動機構を示す図である。
【図１６】３段カートリッジの引き上げ機構の景品移動機構を示す図である。景品が引き上げ位置に移動した状態を示す図である。
【図１７】２段カートリッジの景品払出し機構の側方からの払出機構図である。
【図１８】引き上げチェーンの構成図である。
【発明を実施するための形態】
【００２２】
以下本発明の実施の形態を図面を参酌して詳細に説明する。
【００２３】
図１は本発明の実施形態の景品交換管理システムと遊技場の概要を示す図である。遊技媒体はパチンコ玉を例に説明する。
【００２４】
景品交換管理システムは、図１に示すように、遊技店内に設けられた遊技機（パチンコ機）１、玉貸出ユニット２、遊技媒体計数機３、景品カード発行機４、景品管理装置（ＰＯＳ）５、景品管理装置（ＰＯＳ）に接続された景品払出装置６、表示器７とで構成される。また、景品カード発行機４は会員カードに記録される機能も併せ持つこととしている（図示せず）。
【００２５】
遊技機がパチンコ機１であり、パチンコ機１に対応する玉貸出ユニット２には、パチンコ玉を貸与する貸玉料金の異なる２種類があり、パチンコ玉１個あたりの貸玉料金が１円である遊技を「１円パチンコ」とし、パチンコ玉１個あたりの貸玉料金が４円である遊技を「４円パチンコ」とする。
【００２６】
遊技者は玉貸出ユニット２より玉を借り遊技した結果、獲得した遊技媒体を貸玉料金に対応した遊技媒体計数機３により計数し、計数結果として景品カード発行機４から計数カード８に記録を行い、景品カウンターにて景品と交換する。そのさい、景品との交換率を「４円パチンコ」ではパチンコ玉１個あたり２．５円とし、「１円パチンコ」ではパチンコ玉１個あたり０．６円とする。
【００２７】
景品管理装置（ＰＯＳ）５は計数カード８に記録されたパチンコ玉の数量および交換率に応じて、遊技者に対して払い出すべき景品の種類および数量を算出し、景品払出装置６へ信号を送信する。例えば、「４円パチンコ」での獲得数がパチンコ玉５０８０個であった場合、交換率が２．５円なので景品は１２７００円分となり、特大景品（２５００円）×４枚、大景品（１０００円）×２枚、中景品（５００円）×１枚、小景品（１００円）×２枚となる。景品管理装置（ＰＯＳ）５は算出の結果を景品払出装置６へ信号を送信する。
【００２８】
景品払出装置６では、景品選択手段１０により「４円パチンコ」で交換率２．５円グループＡの収納カートリッジＫの特大景品Ａ１、大景品Ａ２、中景品Ａ３、小景品Ａ４が収納された収納カートリッジＫを移動機構Ｍにより、景品を引き上げる引上げ機構Ｈの位置に移動し、排出機構Ｐにより前記算出枚数に応じた景品を景品カウンター上へ排出し、景品の払出枚数を表示器７に表示する。
【００２９】
同様に、「１円パチンコ」での獲得数がパチンコ玉７０００玉であった場合、交換率が０．６円なので景品は４２００円分となり、特大景品（２５００円）×１枚、大景品（１０００円）×２枚、中景品（５００円）×１枚、小景品（１００円）×２枚となる。景品管理装置（ＰＯＳ）５は算出の結果を景品払出装置６へ信号を送信する。
【００３０】
景品払出装置６では、図２の景品払出装置のブロック図に示すように、景品選択手段１０により「１円パチンコ」で換金率０．６円グループＢの収納カートリッジＫの特大景品Ｂ１、大景品Ｂ２、中景品Ｂ３、小景品Ｂ４が収納された収納カートリッジＫを移動機構Ｍにより、景品を引き上げる引上げ機構Ｈの位置に移動し、排出機構Ｐにより前記算出枚数に応じた景品を景品カウンター上へ排出し、景品の払出枚数を表示器７に表示する。
【００３１】
図２は景品払出装置６のブロック図で、制御部として通信制御手段９、景品選択手段１０、表示手段１１、機構制御手段１２があり、機構部としての移動機構Ｍ、引上げ機構Ｈ、側方移送機構Ｙ、払出機構Ｐを制御している。
【００３２】
まず、交換率４種類、景品１６種類、レーン８本の景品払出装置の例について説明する。
【００３３】
図３は景品払出装置６の収納カートリッジＫの装填部Ｇ（装置の後方から）を示していて、扉をあけた状態で上下の２段に収納カートリッジＫが装填されている状態を示す図である。図３に示すように、景品払出口に対応して１から８までのレーンがあり、上下２段の装填部で１６本の収納カートリッジＫが装填されている。
【００３４】
図４は交換率４種類の景品Ｓの収納カートリッジＫの装填部Ｇの配置図で、景品選択手段１０の装填例（図３に相当する）を示している。収納カートリッジＫの交換率別のグループとして、グループＡは１から４までのレーン上側装填部Ｇに特大景品Ａ１、大景品Ａ２、中景品Ａ３、小景品Ａ４で構成され、グループＢは５から８までのレーン上側装填部Ｇに特大景品Ｂ１、大景品Ｂ２、中景品Ｂ３、小景品Ｂ４、グループＣは１から４までのレーン下側装填部Ｇに特大景品Ｃ１、大景品Ｃ２、中景品Ｃ３、小景品Ｃ４、グループＤは５から８までのレーン下側装填部Ｇに特大景品Ｄ１、大景品Ｄ２、中景品Ｄ３、小景品Ｄ４で構成される。
【００３５】
１レーンに交換率グループＡ１、Ｃ１の景品Ｓ、２レーンに交換率グループＡ２、Ｃ２の景品Ｓ、３レーンに交換率グループＡ３、Ｃ３の景品Ｓ、４レーンに交換率グループＡ４、Ｃ４の景品Ｓ、５レーンに交換率グループＢ１、Ｄ１の景品Ｓ、６レーンに交換率グループＢ２、Ｄ２の景品Ｓ、７レーンに交換率グループＢ３、Ｄ３の景品Ｓ、８レーンに交換率グループＢ４、Ｄ４の景品Ｓが装填される。
【００３６】
景品払出は、景品管理装置（ＰＯＳ）５からの信号を受信し、景品選択手段１０は換金率を判断し、グループＡの払出が必要と判断すれば、後述する図１５〜１７に示すように、装填部Ｇ上側のグループＡ側の収納カートリッジＫを移動機構Ｍにより、払出が必要な収納カートリッジＫ（特大景品Ａ１、大景品Ａ２、中景品Ａ３，小景品Ａ４）を個別に選択し引上げ機構Ｈの位置まで移動する。景品の払出機構は、収納カートリッジＫ内の最前列にある景品Ｓを引っ掛けて、景品Ｓを前記取出し口から上方に引き出させる引っ掛け部を備えた景品の引上げ機構Ｈと、横方向に走行されるベルトコンベヤ１３と、このベルトコンベヤ１３の屈曲部の側方に備えられる姿勢変更ローラ１４とを有し、かつ、当該姿勢変更ローラ１４がこの姿勢変更ローラ１４の回転軸中心を通る水平線をベルトコンベヤ１３の屈曲頂端を通る水平線Ｘ（図１７参照）よりも上方に位置されるように備え付けられた景品Ｓの側方移送機構Ｙとを備えており、前記引上げ機構Ｈにより上方に移送された景品が、前記姿勢変更ローラ１４とベルトコンベヤ１３のベルトの屈曲頂端との間で挟み込まれながら、当該ベルトコンベヤ１３のベルトの走行方向に倒し込まれ、排出機構Ｐにより景品カウンター上に排出する。排出後はグループＡの収納カートリッジＫは元の待機位置に戻り、次の景品選択機構の動作指示を待つことになる。
【００３７】
同様に景品管理装置（ＰＯＳ）５からの信号を受信し、景品選択手段１０はグループＣの払出が必要と判断すれば、装填部Ｇ上側のグループＣ側の収納カートリッジＫを移動機構Ｍにより、払出が必要な収納カートリッジＫを個別に選択し引上げ機構Ｈの位置まで移動機構Ｍにより移動させ、上記移送機構Ｙ、排出機構Ｐにより景品カウンター上に排出する。
【００３８】
景品管理装置（ＰＯＳ）５からの信号受信から景品カウンター上に排出するまでの１動作中、１レーンからは、景品選択手段６１により交換率の異なる上側装填部Ｇの特大景品Ａ１と下側装填部Ｇの特大景品Ｃ１のいずれかが払出し可能となる。他の２から８レーンは同様の動作が可能となる。
【００３９】
また、別の装填例として、交換率３種類、景品１２種類、レーン８本の景品払出し機の例について説明する。
【００４０】
図５は交換率３種類の景品Ｓの収納カートリッジＫの装填部Ｇの配置図で、景品選択手段１０の装填例を示している。収納カートリッジＫの交換率別のグループとして、グループＡは１から４までのレーン上下装填部Ｇに特大景品Ａ１、大景品Ａ２、中景品Ａ３、小景品Ａ４で構成され、グループＢは５から８間でのレーン上装填部Ｇに特大景品Ｂ１、大景品Ｂ２、中景品Ｂ３、小景品Ｂ４、グループＣは５から８までのレーン下側装填部Ｇに特大景品Ｃ１、大景品Ｃ２、中景品Ｃ３、小景品Ｃ４で構成される。
１レーンに交換率グループＡ１、Ａ１の景品Ｓ、２レーンに交換率グループＡ２、Ａ２の景品Ｓ、３レーンに交換率グループＡ３、Ａ３の景品Ｓ、４レーンに交換率グループＡ４、Ａ４の景品Ｓ、５レーンに交換率グループＢ１、Ｃ１、６レーンに交換率グループＢ２、Ｃ２の景品Ｓ、７レーンに交換率グループＢ３、Ｃ３の景品Ｓ、８レーンに交換率グループＢ４、Ｃ４の景品Ｓが装填される。
【００４１】
また、別の装填例として、交換率２種類、景品８種類、レーン８本の景品払出し機の例について説明する。
【００４２】
図６は交換率２種類の景品Ｓの収納カートリッジＫの装填部Ｇの配置図で、景品選択手段１０の装填例を示している。収納カートリッジＫの交換率別のグループとして、グループＡは１から４までのレーン上下装填部Ｇに特大景品Ａ１、大景品Ａ２、中景品Ａ３、小景品Ａ４で構成され、グループＢは５から８間でのレーン上下装填部Ｇに特大景品Ｂ１、大景品Ｂ２、中景品Ｂ３、小景品Ｂ４で構成される。
【００４３】
１レーンに交換率グループＡ１、Ａ１の景品Ｓ、２レーンに交換率グループＡ２、Ａ２の景品Ｓ、３レーンに交換率グループＡ３、Ａ３の景品Ｓ、４レーンに交換率グループＡ４、Ａ４の景品Ｓ、５レーンに交換率グループＢ１、Ｂ１の景品Ｓ、６レーンに交換率グループＢ２、Ｂ２の景品Ｓ、７レーンに交換率グループＢ３、Ｂ３の景品Ｓ、８レーンに交換率グループＢ４、Ｂ４の景品Ｓが装填される。
【００４４】
さらに、別の装填例として、交換率１種類、景品８種類、レーン８本の景品払出し機の例について説明する。
【００４５】
図７は交換率１種類の景品Ｓの収納カートリッジＫの装填部Ｇの配置図で、景品選択手段１０の装填例を示している。収納カートリッジＫの交換率別のグループとして、グループＡは１から４までのレーン上下装填部Ｇに特大景品Ａ１、大景品Ａ２、中景品Ａ３、小景品Ａ４で構成される。
【００４６】
具体的には、１レーンに交換率グループＡ１、Ａ１の景品Ｓ、２レーンに交換率グループＡ１、Ａ１の景品Ｓ、３レーンに交換率グループＡ２、Ａ２の景品Ｓ、４レーンに交換率グループＡ２、Ａ２の景品Ｓ、５レーンに交換率グループＡ３、Ａ３の景品Ｓ、６レーンに交換率グループＡ３、Ａ３の景品Ｓ、７レーンに交換率グループＡ４、Ａ４の景品Ｓ、８レーンに交換率グループＡ４、Ａ４の景品Ｓが装填される。
【００４７】
次に、景品の種類が多い交換率６種類、景品２４種類、レーン８本の景品払出し機の例について説明する。
【００４８】
図８は景品払出装置６の収納カートリッジ装填部Ｇ（装置の後方から）であり、扉をあけた状態で上中下の３段に収納カートリッジＫが装填されている。景品払出口に対応して１から８までのレーンがあり、上下の装填部Ｇで２４本の収納カートリッジが装填されている。
【００４９】
図９は交換率６種類の景品Ｓの収納カートリッジＫの装填部Ｇの配置図で、景品選択手段１０の装填例を示している。収納カートリッジＫの交換率別のグループとして、グループＡは１から４までのレーン上側装填部Ｇに特大景品Ａ１、大景品Ａ２、中景品Ａ３、小景品Ａ４で構成され、グループＢは５から８間でのレーン上側装填部Ｇに特大景品Ｂ１、大景品Ｂ２、中景品Ｂ３、小景品Ｂ４、グループＣは１から４までのレーン中側装填部Ｇに特大景品Ｃ１、大景品Ｃ２、中景品Ｃ３、小景品Ｃ４、グループＤは５から８までのレーン中側装填部Ｇに特大景品Ｄ１、大景品Ｄ２、中景品Ｄ３、小景品Ｄ４、グループＥは１から４までのレーン下側装填部Ｇに特大景品Ｅ１、大景品Ｅ２、中景品Ｅ３、小景品Ｅ４、グループＦは５から８までのレーン下側装填部Ｇに特大景品Ｆ１、大景品Ｆ２、中景品Ｆ３、小景品Ｆ４で構成される。
【００５０】
１レーンに交換率グループＡ１、Ｃ１、Ｅ１の景品Ｓ、２レーンに交換率グループＡ２、Ｃ２、Ｅ２に景品Ｓ、３レーンに交換率グループＡ３、Ｃ３、Ｅ３の景品Ｓ、４レーン交換率グループにＡ４、Ｃ４、Ｅ４の景品Ｓ、５レーンに交換率グループＢ１、Ｄ１、Ｆ１の景品Ｓ、６レーンに交換率グループＢ２、Ｄ２、Ｆ２の景品Ｓ、７レーンに交換率グループＢ３、Ｄ３、Ｆ３の景品Ｓ、８レーンに交換率グループＢ４、Ｄ４、Ｆ４の景品Ｓが装填される。
【００５１】
景品管理装置（ＰＯＳ）５からの信号を受信し、前記の景品選択手段１０と同様に、図１６に示すように、上中下の３段の景品Ｓの収納カートリッジＫのいずれか１つの収納カートリッジＫを移動機構Ｍにより払出が必要な収納カートリッジＫを個別に選択し引き上げ機構Ｈの位置まで移動する。収納カートリッジＫの最前列にある景品Ｓを引っ掛けて、景品を前記取出し口から上方に引き出させる引っ掛け部を備えた景品の引上げ機構Ｈと、前記側方移送機構Ｙと前記排出機構Ｐにより景品カウンター上に排出する。排出後は移動した収納カートリッジＫは元の待機位置に戻り、次の景品選択手段１０の動作指示を待つことになる。
【００５２】
また、交換率４種類、景品１２種類、レーン６本の場合について説明する。
【００５３】
図１０は景品払出装置６の収納カートリッジ装填部Ｇ（装置の後方から）であり、扉をあけた状態で上下の２段に収納カートリッジＫが装填されている。景品払出口に対応して１から６までのレーンがあり、上下の装填部Ｇで１２本の収納カートリッジＫが装填されている。
【００５４】
図１１は交換率４種類の景品Ｓの収納カートリッジＫの装填部Ｇの配置図で、景品選択手段１０の装填例を示している。収納カートリッジの交換率別のグループとして、グループＡは１から３までのレーン上側装填部Ｇに大景品Ａ１、中景品Ａ２、小景品Ａ３で構成され、グループＢは４から６までのレーン上側装填部Ｇに大景品Ｂ１、中景品Ｂ２、小景品Ｂ３、グループＣは１から３までのレーン下側装填部Ｇに大景品Ｃ１、中景品Ｃ２、小景品Ｃ３、グループＤは４から６までのレーン下側装填部Ｇに大景品Ｄ１、中景品Ｄ２、小景品Ｄ３で構成される。
【００５５】
１レーンに交換率グループＡ１、Ｃ１の景品Ｓ、２レーンに交換率グループＡ２、Ｃ２の景品Ｓ、３レーンに交換率グループＡ３、Ｃ３の景品Ｓ、４レーンに交換率グループＢ１、Ｄ１の景品Ｓ、５レーンに交換率グループＢ２、Ｄ２の景品Ｓ、６レーンに交換率グループＢ３、Ｄ３の景品Ｓが装填される。
【００５６】
景品管理装置（ＰＯＳ）５からの信号を受信し、前記の景品選択手段１０と同様に、上下の２段の景品Ｓの収納カートリッジＫのいずれか１つの収納カートリッジＫを移動機構Ｍにより払出が必要な収納カートリッジを個別に選択し引き上げ機構Ｈの位置まで移動する。収納カートリッジＫの最前列にある景品Ｓを引っ掛けて、景品Ｓを前記取出し口から上方に引き出させる引っ掛け部を備えた景品の引上げ機構Ｈと、前記側方移送機構Ｙと前記排出機構Ｐにより景品カウンター上に排出する。排出後は移動した収納カートリッジＫは元の待機位置に戻り、次の景品選択手段１０の動作指示を待つことになる。
【００５７】
また、別の装填例として交換率２種類、景品６種類、レーン６本の場合について説明する。
【００５８】
図１２は交換率２種類の景品Ｓの収納カートリッジＫの装填部Ｇの配置図で、景品選択手段１０の装填例を示している。収納カートリッジＫの交換率別のグループとして、グループＡは１から３までのレーン上下の装填部Ｇに大景品Ａ１、中景品Ａ２、小景品Ａ３で構成され、グループＢは４から６のまでの上下の装填部Ｇに大景品Ｂ１、中景品Ｂ２、小景品Ｂ３で構成される。
【００５９】
１レーンに交換率グループＡ１、Ａ１の景品Ｓ、２レーンに交換率グループＡ２、Ａ２の景品、３レーンに交換率グループＡ３、Ａ３の景品Ｓ、４レーンに交換率グループＢ１、Ｂ１の景品Ｓ、５レーンに交換率グループＢ２、Ｂ２の景品Ｓ、６レーンに交換率グループＢ３、Ｂ３の景品Ｓが装填される。
【００６０】
また、別の装填例として、交換率６種類、景品１８種類、レーン６本の場合について説明する。
【００６１】
図１３は景品払出装置６の収納カートリッジ装填部Ｇ（装置の後方から）であり、扉をあけた状態で上中下の３段に収納カートリッジＫが装填されている。景品払出口に対応して１から６までのレーンがあり、上下の装填部Ｇで１８本の収納カートリッジＫが装填されている。
【００６２】
図１４は交換率６種類の景品Ｓの収納カートリッジＫの装填部Ｇの配置図で、景品選択手段１０の装填例を示している。収納カートリッジの交換率別のグループとして、グループＡは１から３までのレーン上側装填部Ｇに大景品Ａ１、中景品Ａ２、小景品Ａ３で構成され、グループＢは４から６までのレーン上側装填部Ｇに大景品Ｂ１、中景品Ｂ２、小景品Ｂ３、グループＣは１から３までのレーン中側装填部Ｇに大景品Ｃ１、中景品Ｃ２、小景品Ｃ３、グループＤは４から６までのレーン中側装填部Ｇに大景品Ｄ１、中景品Ｄ２、小景品Ｄ３、グループＥは１から３までのレーン下側装填部Ｇに大景品Ｃ１、中景品Ｃ２、小景品Ｃ３、グループＤは４から６までのレーン下側装填部Ｇに大景品Ｄ１、中景品Ｄ２、小景品Ｄ３で構成される。
【００６３】
１レーンに交換率グループＡ１、Ｂ２、Ｅ１の景品Ｓ、２レーンに交換率グループＡ２、Ｃ２、Ｅ２の景品Ｓ、３レーンに交換率グループＡ３、Ｃ３、Ｅ３の景品Ｓ、４レーンに交換率グループＢ１、Ｄ１、Ｆ１の景品Ｓ、５レーンに交換率グループＢ２、Ｄ２、Ｆ２の景品Ｓ、６レーンに交換率グループＢ３、Ｄ３、Ｆ３の景品Ｓが装填される。
【００６４】
図１５及び図１７に示すように、カード状をなす景品Ｓを起立状態に並列させて収納すると共に、最前列にある景品Ｓを一個ずつ順次上方に引き出し可能とする取出し口１５を備えた収納カートリッジＫを２段に積み重ね状に配置し、収納カートリッジＫ内の最前列にある景品Ｓを引っ掛けて、景品Ｓを前記取出し口１５から上方に引き出させる引っ掛け部１６を備えた景品Ｓの引上げ機構Ｈと、横方向に走行されるベルトコンベヤ１３と、このベルトコンベヤ１３の屈曲部の側方に備えられる姿勢変更ローラ１４とを有し、かつ、姿勢変更ローラ１４がこの姿勢変更ローラ１４の回転軸中心を通る水平線Ｘをベルトコンベヤ１３の屈曲頂端を通る水平線Ｘよりも上方に位置されるように備え付けられた景品Ｓの側方移送機構Ｙとを備えている。そして、引上げ機構Ｈにより上方に移送された景品Ｓが、姿勢変更ローラ１４とベルトコンベヤ１３のベルトの屈曲頂端との間で挟み込まれながら、ベルトコンベヤ１３のベルトの走行方向に倒し込まれる構成としてある。
【００６５】
引上げ機構Ｈにより収納カートリッジＫ内に収納された景品Ｓを一個ずつ上方に移送さることができると共に、このように移送された景品Ｓを、側方移送機構Ｙを構成する姿勢変更ローラ１４とベルトコンベヤ１３のベルトの屈曲頂端との間で挟み込みながら、ベルトコンベヤ１３のベルトの走行方向に倒し込ませ、このように倒し込んだ景品Ｓをベルトコンベヤ１３により側方に移送させることができる。
【００６６】
図１５ないし図１６に示されるように、カード状をなす景品Ｓを並列させて収納した収納カートリッジＫを２段或いは３段に配置し、景品Ｓが収納カートリッジＫ内において起立状態となるように略水平に位置付けておくと共に、このように位置付けられた収納カートリッジＫから取り出される景品Ｓを収納カートリッジＫの上方において景品Ｓを倒し込んだ状態で供給することが可能となる。
【００６７】
景品Ｓの提供がなされるカウンターの下方にこの引上げ機構Ｈを設置して、このカウンター上に景品Ｓを支障なく供給するように用いることができる。また、収納カートリッジＫは略水平に位置付けられることから、引上げ機構Ｈにおける収納カートリッジＫの装填部Ｇに対して、収納カートリッジＫの一端側から横方向に収納カートリッジＫを差し込むように移動させることにより装填をなすことができ、景品Ｓが満載された状態にあってもこの装填作業を容易かつスムースになすことができる。
【００６８】
収納カートリッジＫの取出し口１５は、収納カートリッジＫの前端部１７側にある上面にこの収納カートリッジＫ内に収められる景品Ｓを引き出し可能な大きさの穴１５を設けて構成することができる。そして、収納カートリッジＫの前端部１７側にある下面の一部と前端部面１７とに、引っ掛け部１６が最前列にある景品Ｓの下端面に引っ掛かりながら上方に移動できる大きさの収納カートリッジＫ内に連通される取り出し口１５の溝状開口を設けておくことにより、取出し口１５から最前列にある景品Ｓを一個ずつ上方に引き出すことができる。
【００６９】
引上げ機構Ｈは、図１８に示すように、上下一対のスプロケットホイール１８間に張り込まれる無端状のチェーン１９や、上下一対のベルト車間に張り込まれるベルトなどに引っ掛け部１６を設け、このチェーン１９などの走行に伴って引っ掛け部１６が収納カートリッジＫの取り出し口１５の溝状開口を通り抜けるようにして構成することができる。
【００７０】
引上げ機構Ｈにおいて、略水平に保持された複数の収納カートリッジＫを上下方向に向けて、例えば、２段或いは３段に積み重ね状に備えると共に、景品Ｓが収められている複数の収納カートリッジＫのいずれか一つのみを、収納カートリッジＫ内の最前列にある景品Ｓに引上げ機構Ｈの引っ掛け部１６が引っ掛かる位置に移動させる移動機構Ｍを備える構成とすることが景品選択手段１０の一つとされる。
【００７１】
この構成によれば、景品Ｓが収められている複数の収納カートリッジＫのいずれか一つのみから、引上げ機構Ｈにより最前列にある景品Ｓを上方に引き出すことができ、景品Ｓを収めた複数の収納カートリッジＫを上下方向に向けて支障なく積み重ね状に備えさせることができる。
【００７２】
図１５および図１６は、引上げ機構Ｈと移動機構Ｙを示した構成図であり、図１５は収納カートリッジＫの待機位置状態を示す。図１６は中段の収納カートリッジＫを引上げ機構Ｈの側に前進させて、この中段に位置される収納カートリッジＫから景品Ｓが引き出される状態をそれぞれ示している。
【００７３】
図１７は、２段に積み重ね状にカートリッジＫ、引上げ機構Ｈ、側方移送機構Ｙ、移動機構Ｍの組込み部の構成を側方から見た状態を示している。引上げ機構Ｈを構成するチェーン１９を省略して示している。図１８は引上げ機構Ｈを構成するチェーン１９を側方から見た状態である。
【００７４】
所望の景品カードを払い出すには、払出し方向（前進）と退避方向とに可動となっている収納カートリッジＫの内で所望の景品カードを収納している収納カートリッジＫを払出し方向に移動させる。なお、その他の全ての収納カートリッジＫは退避方向に移動させられている。払出し方向に移動させられた収納カートリッジＫでは、その最前列にある景品カードＳ（例えば、３ｍｍ厚の景品カード）が、景品払出し突起（引っ掛け部）１６と係合し、モーターで駆動させられている景品送り出しチェーン１９により引き上げられる。景品カードが引き上げられると、その景品カードを収納していた収納カートリッジＫは退避方向に移動させられる。
【００７５】
引き上げられた景品カードは、景品を反転する姿勢変更ローラ１４により、垂直方向から水平方向に倒されて景品カード払出しベルト上に載置され、上下可動の景品スタックテーブル上に堆積して集められる。そして、景品払出し窓のシャツターを開放すると共に、景品スタックテーブルを上昇せしめ、景品カードが払いだされる。
【００７６】
収納カートリッジＫが２段又は３段或いはそれ以上の段数で装填部Ｇに配置されていても、所望の景品ガードが収納されている格段の収納カートリッジＫを選択して払出し方向に移動させることで、同様に所望の景品カードを払い出すことができる。そして、払いだす順番も、例えば、大景品から小景品へと順番に選択すれば、その順序で払いだされるので、景品カードの必要枚数の計算を容易に行なうことができる。
【００７７】
従来公知の例えば３段の収納カートリッジを備えた景品払出し装置では、下段に装填された収納カートリッジ内の景品から払出しを開始し、下段の景品が無くなると、中段の収納カートリッジが自動的に払出し位置に移動して払出しを開始し、景品が無くなると上段の収納カートリッジが自動的に払出し位置に移勤し払出しを行なうようになっていた。そして、全段、景品が無くなると「景品切れ」の合図を払出機が出す。その時、カートリッジを払出機より抜取り、景品を補充して払出機に再装填する。その後、操作盤上で諸操作を行うと引き続き払出しを行うようになっていて、任意の収納カートリッジを選択して景品を取出すことはできなかった。しかし、本発明の景品払出し装置によれば、任意の収納カートリッジ内の景品の払出しが可能となる。
【００７８】
図１５および図１６に基づいて、引上げ機構Ｈの詳細を説明する。カード状をなす景品Ｓを起立状態に並列させて収納できるように構成された二つの収納カートリッジＫと、この二つの収納カートリッジＫを上下方向に向けて積み重ね状に装填、保持する装填部Ｇと、このように装填された収納カートリッジＫの一端側にあって、この収納カートリッジＫ内に収められた景品Ｓのうち最前列にある景品Ｓに引っ掛かる引っ掛け部１６を備え、この最前列にある景品Ｓを収納カートリッジＫの取出し口１５から上方に引き出させる引上げ機構Ｈと、このように上方に引き出された景品Ｓを側方に移送させる側方移送機構Ｙと、装填部Ｇに保持された二つの収納カートリッジＫのうち景品選択手段１０が指定した交換率の景品Ｓが収納されている収納カートリッジＫのいずれか一つのみを、引上げ機構Ｈの設けられている側に移動させる移動機構Ｍとを備えている。
【００７９】
収納カートリッジＫを略長方形状をなす四つの幅広の板部を備えた長箱状に構成すると共に、この長箱状をなす収納カートリッジＫの一端側を前記引上げ機構Ｈに向き合わせるように、装填部Ｇによりこの収納カートリッジＫを略水平に装填・保持できる構成としてある。
【００８０】
収納カートリッジＫの一端側、すなわち、引上げ気候Ｈに向き合った前端部１７側にある上面には、この収納カートリッジＫ内に収められる景品Ｓを引き出し可能な大きさの穴１０ａが設けてある。収納カートリッジＫの前端部１７側にある下面の一部と前端部１７の面とには、引っ掛け部１６が最前列にある景品Ｓの下端面に引っ掛かりながら上方に移動できる大きさの収納カートリッジＫ内に連通される取出し口１５の溝状開口が設けてある。
【００８１】
引上げ機構Ｈは、上下一対のスプロケットホイール１８間に張り込まれた無端状のチェーン１９に、略等しい間隔を開けて外側に突き出す一対の引っ掛け部１６を設けて構成してある。この引上げ機構Ｈを構成するチェーン１９は、前記のように装填された二つの収納カートリッジＫにおける取出し口１５の溝状開口の延設方向に沿って走行されるように配してある。
【００８２】
移動機構Ｍは、引上げ機構Ｈを挟んだ収納カートリッジＫの配される側と反対の側に配されるカム手段２０と、収納カートリッジＫにおける後端部１５側に配される収納カートリッジＫの装填部Ｇを構成する側壁に設けられた圧縮コイルバネ２１とから構成されている。
【００８３】
カム手段２０は、上下方向に沿った回転軸を偏心位置に備えた円板状体と、引上げ機構Ｈを構成するチェーン１９を間に収めるように略平行に配される左右押し込みロッド２２と、この左右押し込みロッド２２における収納カートリッジＫと向き合わない側においてこの左右押し込みロッド２２を連結する連結部２３と、この連結部２３に設けられた円板状体の周面に常時接するローラ２４とを備えている。
【００８４】
装填部Ｇに上下方向に向けて積み重ね状に装填、保持された二つの収納カートリッジＫの上段に位置する収納カートリッジＫと、下段に位置する収納カートリッジＫとに、それぞれにカム手段２０が対向するように設けてある。
【００８５】
装填部Ｇに装填、保持された二つの収納カートリッジＫを、バネ２５によりいずれも引上げ機構Ｈの側に向けて常時付勢させておくことができ、かかる収納カートリッジＫを、かかる引上げ機構Ｈに設けられた前記引っ掛け部１６が前記チェーン１９の走行により、収納カートリッジＫの取出し口１０の溝状開口に入り込み、この溝状開口を通り抜ける位置に位置付けておくことができる。
【００８６】
バネ２５により付勢される収納カートリッジＫは、いずれもカム手段２０により、バネ２５の付勢に抗して、これらの収納カートリッジＫの取出し口１０の溝状開口に引上げ機構Ｈの引っ掛け部１６が入り込まない位置に押し戻し、すなわち退避移動させておくことができる構成としてある。
【００８７】
カム手段２０の円板状体は回転軸を偏心位置に備えていることから、この円板状体４２を回転させることにより前記左右押し込みロッド２２を前記収納カートリッジＫの側に向けて前進させ、また、後退させることができる。そして、この左右押し込みロッド２２の先端は、バネ２５の付勢により収納カートリッジＫの取出し口１０の溝状開口を挟んだ前端部面１４に常時当接される構成としてある。したがって、この左右押し込みロッド２２の前進により収納カートリッジＫをバネ２５の付勢に抗して、この収納カートリッジＫの溝状開口に引上げ機構Ｈの引っ掛け部１６が入り込まない位置に退避移動させておくことができ、また、この左右押し込みロッド２２の後退により収納カートリッジＫをバネ２５の付勢により、この収納カートリッジＫの溝状開口に引上げ機構Ｈの引っ掛け部１６が入り込む位置に移動させることができる。
【００８８】
この引上げ機構Ｈは図１６に示されるように、二つの収納カートリッジＫのいずれにも景品Ｓを収めた状態において、カム手段２０により下段に位置する収納カートリッジＫがその取出し口１０の溝状開口に前記引上げ機構Ｈの引っ掛け部１６を入り込ませるようにしておくことができ、この下段の収納カートリッジＫから景品Ｓが上方に移送されるようにすることができる。
【００８９】
側方移送機構Ｙは、図１５、図１７に示すように、略同一の水平線上に回転軸を配する一対のベルト車に張り込まれたベルトを備えたベルトコンベヤ１３と、このベルトコンベヤ１３の屈曲部の側方に備えられると共に、回転軸を水平に配した姿勢変更ローラ１４とを備えている。また、かかる姿勢変更ローラ１４は、この姿勢変更ローラ１４の回転軸中心を通る水平線Ｘをベルトコンベヤ１３の屈曲頂端を通る水平線Ｘ、前記一対のベルト車の回転軸が配される水平線よりも上方に位置されるように備え付けられている。
【００９０】
ベルトコンベヤ１３の屈曲部の一方が、引上げ機構Ｈにより上方に移送される景品Ｓの一面側に接する位置にあると共に、かかる屈曲部の他方が収納カートリッジＫの後端部側に向けられるように配されている。
【００９１】
姿勢変更ローラ１４は、ベルトコンベヤ１３の屈曲部の一方に対して、ローラ面を常時近接させるように、圧縮コイルバネ２１によりかかるベルトコンベヤ１３の側に付勢された構成としてある。
【００９２】
引上げ機構Ｈにより上方に移送された景品Ｓを、その景品Ｓの上端縁側から、姿勢変更ローラ１４とベルトコンベヤ１３のベルト３０ｂの屈曲頂端との間で、姿勢変更ローラ１４をバネ２６の付勢に抗してベルトコンベヤ１３から離れる向きにやや押し戻しながら、挟み込むことができる。そして、このように挟み込んだ景品Ｓを、さらに前記姿勢変更ローラ１４をベルトコンベヤ１３から離れる向きに押し戻しながら上方に移動させることができると共に、この景品Ｓの挟み込み位置がこの景品Ｓの下端縁側に向かうに連れて、この景品Ｓを次第にこのベルトコンベヤ１３のベルトの走行方向に倒し込ませることができる。そしてこのように倒し込まれた景品Ｓの下端縁が姿勢変更ローラ１４とベルトコンベヤ１３の屈曲部との間から抜け出した後は、この景品Ｓを当該ベルトコンベヤ１３の走行方向に移送することができる。
【００９３】
従来公知の例えば３段に積み重ねられた収納カートリッジを備えた景品払出し装置では、下段に装填された収納カートリッジ内の景品から払出しを開始し、下段の景品が無くなると、中段の収納カートリッジが自動的に払出し位置に移動して払出しを開始し、景品が無くなると上段の収納カートリッジが自動的に払出し位置に移勤し払出しを行なうようになっていて、任意の位置の収納カートリッジから景品を払い出すことができなかった。しかし、本発明によれば、１つの払出口から複数種類の交換率に応じて任意の収納カートリッジから景品を払い出すことができ、また、景品交換率の種類分の払出口がなくても複数種類の景品を払い出すことが可能である。
【符号の説明】
【００９４】
１  パチンコ機
２  玉貸出ユニット
３  遊技媒体計数機
４  景品カード発行機
５  景品管理装置（ＰＯＳ）
６  景品払出装置
７  表示器
８  計数カード
９  通信制御手段
１０  景品選択手段
１１  表示手段
１２  機構制御手段
１３  ベルトコンベヤ
１４  姿勢変更ローラ
１５  取出し口
１６  引っ掛け部
１７  前端部
１８  スプロケットホイール
１９  チェーン
２０  カム手段
２１  圧縮コイルバネ
２２  左右押し込みロッド
２３  連結部
２４  ローラ
２５  バネ
２６バネ
Ｓ  景品
Ｇ  装填部
Ｋ  収納カートリッジ
Ｍ  移動機構
Ｈ  引上げ機構
Ｘ  水平線
Ｙ  側方移送機構
Ｐ  排出機構
【図１】
2011092548.tif 000003
【図２】
2011092548.tif 000004
【図３】
2011092548.tif 000005
【図４】
2011092548.tif 000006
【図５】
2011092548.tif 000007
【図６】
2011092548.tif 000008
【図７】
2011092548.tif 000009
【図８】
2011092548.tif 000010
【図９】
2011092548.tif 000011
【図１０】
2011092548.tif 000012
【図１１】
2011092548.tif 000013
【図１２】
2011092548.tif 000014
【図１３】
2011092548.tif 000015
【図１４】
2011092548.tif 000016
【図１５】
2011092548.tif 000017
【図１６】
2011092548.tif 000018
【図１７】
2011092548.tif 000019
【図１８】
2011092548.tif 000020